(57)【要約】【課題】大規模な地震が発生した場合などでも容易に転倒することがなく、仮に転倒してしまった場合でも、施工する場合に作業を短時間で終了させることができる墓石を提供する。【解決手段】最下部に位置する根太石部１と、根太石部１の直上に設けられた内部空間を有する唐戸石部２と、唐戸石部の直上に設けられた台石部３ａ・台石部３ｂと、台石部３ｂの直上に設けられた塔石部４とを備えている。根太石部１、唐戸石部２、台石部３ａ・台石部３ｂ、及び塔石部４のすべてが一体物として形成されている。【選択図】図１
2008101442.tif 000002
【特許請求の範囲】
【請求項１】
最下部に位置する根太石部と、前記根太石部の直上に設けられた内部空間を有する唐戸石部と、前記唐戸石部の直上に設けられた少なくとも１つ以上の台石部と、前記台石部の直上に設けられた塔石部とを備えた墓石であって、
前記根太石部と、前記唐戸石部と、前記少なくとも１つ以上の台石部のすべてと、前記塔石部とが一体物として形成されていることを特徴とする墓石。
【請求項２】
最下部に位置する根太石部と、前記根太石部の直上に設けられた内部空間を有する唐戸石部と、前記唐戸石部の直上に設けられた少なくとも１つ以上の台石部と、前記台石部の直上に設けられた塔石部とを備えた墓石であって、
前記唐戸石部と、前記少なくとも１つ以上の台石部のすべてと、前記塔石部とが一体物として形成されていることを特徴とする墓石。
【請求項３】
最下部に位置する根太石部と、前記根太石部の直上に設けられた内部空間を有する唐戸石部と、前記唐戸石部の直上に設けられた少なくとも１つ以上の台石部と、前記台石部の直上に設けられた塔石部とを備えた墓石であって、
前記少なくとも１つ以上の台石部のすべてと、前記塔石部とが一体物として形成されていることを特徴とする墓石。
【請求項４】
前記根太石部と前記唐戸石部とが一体物として形成されていることを特徴とする請求項３に記載の墓石。
【請求項５】
前記台石部のうちの１つが、前記唐戸石部の直上に設けられる笠石部であることを特徴とする請求項１〜４のいずれか１項に記載の墓石。
【請求項６】
最下部に位置する根太石部と、前記根太石部の直上に設けられた内部空間を有する唐戸石部と、前記唐戸石部の直上に設けられた笠石部を含む少なくとも１つ以上の台石部と、前記台石部の直上に設けられた塔石部とを備えた墓石であって、
前記笠石部よりも上部に設けられた少なくとも１つ以上の台石部のすべてと前記塔石部とが一体物として形成されていることを特徴とする墓石。
【請求項７】
前記根太石部と前記唐戸石部と前記笠石部とが一体物として形成されていることを特徴とする請求項６に記載の墓石。
【請求項８】
前記墓石を構成する一体物の最下面には凹部が形成されていると共に、前記最下面よりも下部の部分の最上面には、前記凹部に嵌合する凸部が形成されていることを特徴とする請求項２〜７のいずれか１項に記載の墓石。
【請求項９】
前記根太石部に前記唐戸石部の内部空間に連通し骨壺を納骨するための骨壺納骨穴が穿設され、前記根太石部の上面における前記骨壺納骨穴の周囲には、上向きに突出した立上部が形成されていることを特徴とする請求項２に記載の墓石。
【発明の詳細な説明】
【技術分野】
【０００１】
本発明は、例えば笠墓や段唐戸等の墓石に関するものである。
【背景技術】
【０００２】
特許文献１には、従来の墓石の一例として笠墓と呼ばれる種類のものが開示されている。図９は、このような墓石１００の構成を示す正面図である。墓石１００は、図９に示すように、最下部に設置される根太石１０１の直上に、前面に開口部を有する唐戸石１０２が設けられ、その直上に台石の一種である笠石１０３ａが設けられているものである。この笠石１０３ａが存在している点が笠墓と称される所以である。
【０００３】
また、墓石１００の最上部には、例えば蓮などの装飾１０４を施した塔石１０５が載置されている。さらに、墓石１００の笠石１０３ａと塔石１０５との間には、複数の台石１０３ｂ〜１０３ｃが積み重ねられている。なお、唐戸石１０２の前面に設けられた前記開口部は、通常２つの直方体状の前蓋１０６ａ・１０６ｂによって塞がれる。
【０００４】
一方、特許文献２には、従来の墓石の他の例として段唐戸と呼ばれる種類のものが開示されている。図１０（ａ）は、墓石２００の構成を示す墓石の正面側から見た断面図である。また、図１０（ｂ）は、墓石２００の構成を示す墓石の側面側から見た断面図である。
【０００５】
図１０（ａ）に示すように、最下部の根太石２０１の上側に、唐戸石２０２、上台石２０３、丸台石２０４及び塔石２０５が順次下から積み重ねられている。この段唐戸が前記笠墓と異なっている点は、図９に示す墓石１００のように、笠石１０３ａを備えていない点である。
【０００６】
なお、図１０（ａ）・図１０（ｂ）に示す根太石２０１は、地面と連通する連通孔２０１ｂにより、図１０（ｂ）に示す唐戸石２０２の上面２０２ａ側から見て囲い型の構造となっている。これは、墓石２００だけに見られるものではなく、一般的な墓石が備える構造である。根太石２０１に連通孔２０１ｂが無い場合、唐戸石２０２に設けられた納骨室２０８と地面とが連通しなくなってしまう。このような場合、納骨された霊が土に帰ることができなくなると考えられている。
【０００７】
これらの墓石の例のように、従来の墓石は、いずれの種類の墓石であっても、根太石の上側に唐戸石を備えると共に最上部に塔石を有し、唐戸石と塔石との間には、上台石等の積み石が数段積み重ねられている構造が一般的である。
【０００８】
また、従来の墓石では、根太石の上側に積み重ねられた唐戸石等の積み石のそれぞれの間にはセメントが充填されており、このセメントによってそれぞれの積み石が接着固定される構造となっている。また、このような墓石を施工する場合には、下から順次積み上げるという工法が一般的である。
【０００９】
ところが、前記のように、それぞれの積み石がセメントにより接着固定されているので、雨水等がこのセメントの周り若しくは内部に侵入してしまう。そして、例えば、冬期において雨水等がセメントの周りに侵入して溜まると、この水が凍り体積増加により各積み石の間に充填されたセメントの接着力を低下させる。この結果、強風や他の外力により塔石等のそれぞれの積み石が容易に転倒してしまうという問題点が生じる。
【００１０】
このような問題点を解決するための従来の墓石の例として、以下では、図１０（ａ）に示す段唐戸という種類の墓石である墓石２００を例にとって説明する。また、図１０（ｂ）・図１０（ｃ）は、それぞれ、墓石２００が、前記問題点を克服するために採用した構成を説明するための側面側から見た断面図、及び墓石２００の一部の構造の概略を示す斜視図である。
【００１１】
図１０（ｃ）に示すように、唐戸石２０２の上面２０２ａにおける略中央位置、及び上台石２０３の上面２０３ａにおける略中央位置には、上向きに突出する４角柱形状の凸部２１２ａ・凸部２１３ａがそれぞれ形成されると共に、この唐戸石２０３に上積みされる上台石２０４における略中央位置には、凸部２１２ａに嵌合する凹部２１３ｂがそれぞれ形成されている。
【００１２】
すなわち、墓石２００は、凸部２１２ａと凹部２１３ｂとで構成されるような嵌合手段を複数設けることにより（図１０（ｂ）の凸部２１２ａ〜凸部２１４ａ及び凹部２１３ｂ〜凹部２１５ｂを参照）、それぞれの積み石同士を固定することで墓石２００が容易に転倒しないようにしている。
【特許文献１】特開平０７−０４８９５８号公報（平成０７年０２月２１日公開）
【発明の開示】
【発明が解決しようとする課題】
【００１３】
しかしながら、前記従来の墓石２００の前記嵌合手段は、墓石２００を構成するそれぞれの積み石の大きさと比較してかなり小さい構造である。このため、例えば、大規模な地震などが発生した場合には、前記嵌合手段に想定以上の負荷がかかり、破損してしまう場合も考えられる。
【００１４】
また、このように前記嵌合手段が破損してしまった場合、前記嵌合手段が担っていた本来の効果を発揮できなくなり、墓石２００は、従来の一般的な墓石と同様の構成に帰するので、地震がさらに継続した場合等には、それぞれの積み石が四散してしまう場合も考えられる。
【００１５】
仮に、積み石が四散してしまった場合などには、墓石２００はその構成上、施工する場合には、下から順次積み上げるという従来の工法によることになるので、数個の積み石を１つ１つ積み上げて構成しなければならず、施工が面倒であり作業に要する時間が非常に長くなってしまうという問題点がある。
【００１６】
本発明は、前記従来の問題点に鑑みなされたものであって、その目的は、大規模な地震が発生した場合などでも容易に転倒することがなく、仮に転倒してしまった場合でも、施工する場合に作業を短時間で終了させることができる墓石を提供することにある。
【課題を解決するための手段】
【００１７】
本発明の墓石は、前記課題を解決するために、最下部に位置する根太石部と、前記根太石部の直上に設けられた内部空間を有する唐戸石部と、前記唐戸石部の直上に設けられた少なくとも１つ以上の台石部と、前記台石部の直上に設けられた塔石部とを備えた墓石であって、前記根太石部と、前記唐戸石部と、前記少なくとも１つ以上の台石部のすべてと、前記塔石部とが一体物として形成されていることを特徴としている。
【００１８】
前記構成によれば、墓石全体が一体物として形成されている。なお、ここでの一体物とは、各根太石部と、唐戸石部と、少なくとも１つ以上の台石部のすべてと、塔石部とが、例えば、セメント等の接合・接着材により一体となっているのではなく、一体成型品となっていることをいう。
【００１９】
それゆえ、大規模な地震が発生した場合などでも容易に転倒することがなく、仮に転倒してしまった場合でも、墓石全体を倒立させるだけでよいので、施工する場合に作業を短時間で終了させることができる。
【００２０】
また、本発明の墓石は、前記課題を解決するために、最下部に位置する根太石部と、前記根太石部の直上に設けられた内部空間を有する唐戸石部と、前記唐戸石部の直上に設けられた少なくとも１つ以上の台石部と、前記台石部の直上に設けられた塔石部とを備えた墓石であって、前記唐戸石部と、前記少なくとも１つ以上の台石部のすべてと、前記塔石部とが一体物として形成されていることを特徴としている。
【００２１】
前記構成によれば、根太石部以外は一体物として形成されている。
【００２２】
それゆえ、根太石部は上側から見た断面積は広く、かつ根太石部よりも上部は一体物であるため、大規模な地震が発生した場合などでも容易に転倒することがなく、仮に転倒してしまった場合でも、根太石部の上に一体物を積み上げれば良いので、施工する場合に作業を短時間で終了させることができる。また、唐戸石部の最下面から掘削できるので、内部空間を形成する作業が簡単である。
【００２３】
また、本発明の墓石は、前記課題を解決するために、最下部に位置する根太石部と、前記根太石部の直上に設けられた内部空間を有する唐戸石部と、前記唐戸石部の直上に設けられた少なくとも１つ以上の台石部と、前記台石部の直上に設けられた塔石部とを備えた墓石であって、前記少なくとも１つ以上の台石部のすべてと、前記塔石部とが一体物として形成されていることを特徴としている。
【００２４】
前記構成によれば、少なくとも１つ以上の台石部のすべて、及び塔石部が一体物として形成されている。
【００２５】
それゆえ、一体物の最下部の台石部の底面積は塔石部よりも大きいので、一体物は安定である。一方、唐戸石部以下は、上側から見たそれぞれの積み石の断面積は前記底面積よりもさらに大きいので、一体物となっていなくても安定である。
【００２６】
したがって、大規模な地震が発生した場合などでも容易に転倒することがなく、仮に転倒してしまった場合でも、通常は一体物の部分が転倒するだけであり、一体物を積み上げれば良いので、施工する場合に作業を短時間で終了させることができる。
【００２７】
また、本発明の墓石は、前記構成くわえて、前記根太石部と前記唐戸石部とが一体物として形成されていることが好ましい。
【００２８】
前記構成によれば、墓石は上下２つの一体物から構成される２部構成である。
【００２９】
上側の一体物は、前記唐戸石部よりも上部のすべての構成部で構成され、下側の一体物は、前記唐戸石部以下のすべての構成部で構成される。
【００３０】
このように、上側の一体物は、少なくとも２つ以上の墓石の構成部が一体物として形成されるので、一体物として形成されない場合と比較して重量が重い。すなわち、上側の一体物の最下面は、下側の一体物の上面を比較的大きな圧力で押すことになる。
【００３１】
それゆえ、前記の２つの一体物間の境目に雨などによる水が進入しにくいため、大規模な地震が発生した場合などでも容易に転倒することがない。また、仮に転倒してしまった場合でも、墓石は、２つの一体物の２部構成なので施工する場合に作業を短時間で終了させることができる。
【００３２】
また、本発明の墓石は、前記構成において、台石部のうちの１つが、唐戸石部の直上に設けられる笠石部であっても良い。
【００３３】
前記構成によれば、笠墓も本発明の範疇に入る。
【００３４】
また、本発明の墓石は、前記課題を解決するために、最下部に位置する根太石部と、前記根太石部の直上に設けられた内部空間を有する唐戸石部と、前記唐戸石部の直上に設けられた笠石部を含む少なくとも１つ以上の台石部と、前記台石部の直上に設けられた塔石部とを備えた墓石であって、前記笠石部よりも上部に設けられた少なくとも１つ以上の台石部のすべてと前記塔石部とが一体物として形成されていることを特徴としている。
【００３５】
前記構成によれば、前記笠石部よりも上部のすべてが一体物として形成されている。
【００３６】
それゆえ、笠石部は全積み石中上側から見た断面積は最も大きく、また、通常一体物の最下面の面積は塔石部の面積よりも大きいので、一体物は安定である。一方、笠石部以下は、上側から見たそれぞれの積み石の断面積は前記断面積及び前記最下面の面積よりもさらに大きいので、一体物となっていなくても安定である。
【００３７】
したがって、大規模な地震が発生した場合などでも容易に転倒することがなく、仮に転倒してしまった場合でも、通常は一体物の部分が転倒するだけであり、一体物を積み上げれば良いので、施工する場合に作業を短時間で終了させることができる。
【００３８】
また、本発明の墓石は、前記構成にくわえて、前記根太石部と前記唐戸石部と前記笠石部とが一体物として形成されていることが好ましい。
【００３９】
前記構成によれば、墓石は上下２つの一体物から構成される２部構成である。
【００４０】
上側の一体物は、前記笠石よりも上部のすべての構成部で構成され、下側の一体物は、前記笠石部以下のすべての構成部で構成される。
【００４１】
このように、上側の一体物は、少なくとも２つ以上の墓石の構成部が一体物として形成されるので、一体物として形成されない場合と比較して重量が重い。すなわち、上側の一体物の最下面は、下側の一体物の上面を比較的大きな圧力で押すことになる。
【００４２】
それゆえ、前記の２つの一体物間の境目に雨などによる水が進入しにくいため、大規模な地震が発生した場合などでも容易に転倒することがない。また、仮に転倒してしまった場合でも、墓石は、２つの一体物の２部構成なので施工する場合に作業を短時間で終了させることができる。
【００４３】
また、本発明の墓石は、前記構成にくわえて、前記墓石を構成する一体物の最下面には凹部が形成されていると共に、前記最下面よりも下部の部分の最上面には、前記凹部に嵌合する凸部が形成されていることが好ましい。
【００４４】
前記構成によれば、下側の部分の最上面にある凸部と上側の一体物の最下面にある凹部とを嵌合させることができる（以下これらの凹凸部を合わせて嵌合手段と呼ぶ）。
【００４５】
それゆえ、本発明の墓石は、嵌合手段が破損しない間は、前記の墓石よりも、さらに転倒しにくくなる。
【００４６】
また、前記凹部は上側の一体物の最下面に形成され、前記凸部は下側の部分の最上面に形成されているので、前記の２つの一体物の間に水が侵入しても、前記凹部に水が溜まることがない。この結果、溜まり水が後日に外部に吹き出して墓石を汚すということを防止することができ、これにより墓石の耐久性を向上させることができる。
【００４７】
また、本発明の墓石は、前記構成にくわえて、前記根太石部に前記内部空間に連通し骨壺を納骨するための骨壺納骨穴が穿設され、前記根太石部の上面における前記骨壺納骨穴の周囲には、上向きに突出した立上部が形成されていることが好ましい。
【００４８】
前記構成によれば、根太石部の上面と唐戸石部の下端との間から水が侵入した場合であっても、根太石部の上面における骨壺納骨穴の周囲には、上向きに突出した立上部が形成されているので、侵入した水はこの立上部を越えることができない。
【００４９】
それゆえ、水が根太石部の上面に侵入した場合に、骨壺納骨穴への水溜まりを防止することができ、これにより墓石の耐久性を向上させることができる。
【発明の効果】
【００５０】
本発明の墓石は、以上のように、根太石部と、唐戸石部と、少なくとも１つ以上の台石部のすべてと、塔石部とが一体物として形成されているものである。
【００５１】
それゆえ、大規模な地震が発生した場合などでも容易に転倒することがなく、仮に転倒してしまった場合でも、墓石全体を倒立させるだけでよいので、施工する場合に作業を短時間で終了させることができる墓石を提供することができるという効果を奏する。
【００５２】
また、本発明の墓石は、以上のように、唐戸石部と、少なくとも１つ以上の台石部のすべてと、塔石部とが一体物として形成されているものである。
【００５３】
それゆえ、大規模な地震が発生した場合などでも容易に転倒することがなく、仮に転倒してしまった場合でも、根太石部の上に一体物を積み上げれば良いので、施工する場合に作業を短時間で終了させることができる墓石を提供することができるという効果を奏する。
【００５４】
また、本発明の墓石は、以上のように、少なくとも１つ以上の台石部のすべてと、塔石部とが一体物として形成されているものである。
【００５５】
それゆえ、大規模な地震が発生した場合などでも容易に転倒することがなく、仮に転倒してしまった場合でも、通常は一体物の部分が転倒するだけであり、一体物を積み上げれば良いので、施工する場合に作業を短時間で終了させることができる墓石を提供することができるという効果を奏する。
【００５６】
また、本発明の墓石は、以上のように、笠石部よりも上部に設けられた少なくとも１つ以上の台石部のすべてと塔石部とが一体物として形成されているものである。
【００５７】
それゆえ、大規模な地震が発生した場合などでも容易に転倒することがなく、仮に転倒してしまった場合でも、通常は一体物の部分が転倒するだけであり、一体物を積み上げれば良いので、施工する場合に作業を短時間で終了させることができる墓石を提供できるという効果を奏する。
【発明を実施するための最良の形態】
【００５８】
〔実施の形態１〕
本発明の一実施形態について図１〜５に基づいて説明すれば、以下の通りである。
【００５９】
まず、図１に基づき、本発明の一実施形態である墓石１０の構成について説明する。
図１は、墓石１０の構成の概要を示す正面図である。墓石１０は、図１に示すように、最下部に位置する根太石部１と、根太石部１の直上に設けられた内部空間を有する唐戸石部２と、唐戸石部２の直上に設けられた少なくとも１つ以上の台石部３ａ・台石部３ｂと、台石部３ｂの直上に設けられた塔石部４とを備える。
【００６０】
墓石１０の根太石部1は、２つの直方体を重ねたような２段構成となっているが、直方体の１段構成であっても良いし、３つ以上の直方体を重ねたような３段以上の構成であっても良い。
【００６１】
また、墓石１０の台石部は、台石部３ａ・台石部３ｂを備える２段構成となっているが、１段の台石部で構成されていても良いし、３段以上の台石部で構成されていても良い。
【００６２】
なお、唐戸石部２の正面側には略四角形状の前面開口部２２ｂ３が形成され、裏側に向かって彫りこまれている。この前面開口部２２ｂ３は、唐戸石部２に内部空間を形成し骨壺納骨室（内部空間）となる。また、本実施の形態においては、台石部のうちの１つが、唐戸石部２の直上に設けられる笠石部であっても良い。すなわち、笠墓も本発明の適用範囲に含まれる。しかし、本発明の適用範囲は、笠墓に限られず、段唐戸など笠墓以外の様々な墓石が含まれる。以上の点は他の実施の形態においても同様であるので、以下ではこの説明を省略する。
【００６３】
ここで、墓石１０は、根太石部１と、唐戸石部２と、台石部３ａ・台石部３ｂのすべてと、塔石部４とが一体物として形成されている。それゆえ、従来の墓石のように、根太石部１、唐戸石部２、台石部３ａ・台石部３ｂ、及び塔石部４のすべてが分離されており、これらが積み重ねられた墓石と比較して、大規模な地震が発生した場合などでも容易に転倒することがない。
【００６４】
また、仮に転倒してしまった場合でも、例えば、クレーン車で吊り上げる等して墓石１０全体を倒立させるだけでよいので、施工する場合に作業を短時間で終了させることができる。
【００６５】
つぎに、墓石１０の作成方法について説明する。墓石１０の材料としての石材は、青御影石や白御影石などの御影石が好適に用いられる。なお、御影石以外の石材を用いてもかまわない。
【００６６】
なお、唐戸石部２以外の部分は、石材を水平切り切削機の切削等による従来の工法によって作成することができるので、ここでは作成が比較的困難な内部空間を有する唐戸石部２について説明する。
【００６７】
また、説明の便宜上、唐戸石部２だけを取り出した図５（ａ）〜図５（ｅ）を用いて説明する。なお、ここでは、根太石部１と唐戸石部２とが分離している場合について説明し、根太石部１と唐戸石部２とが一体となっている場合については後で説明する。
【００６８】
まず、図５（ａ）に示す唐戸石部２では、前面２ａ１側から裏側に向けて合計９個の円筒状の円筒孔２２ｂ１が形成される。円筒孔２２ｂ１は、ワイヤーソー等の加工工具を用いて掘削等する従来の工法によって作成することができる（孔開け工程）。
【００６９】
つぎに、図５（ｂ）に示す唐戸石部２では、図５（ａ）に示す前記の９個の円筒孔２２ｂ１の隙間を埋める４つの略直方体状（前面側の各辺が円弧で形成された略菱形状）の柱状部２ａ２が取り除かれた状態が示されている。これらの柱状部２ａ２は、唐戸石部２の裏側の側面と繋がっているが、繋がっている部分の断面積は小さいので簡単に折り取ることができる（拡孔工程）。これにより、前記の９個の円筒孔２２ｂ１は１つの大きな集筒孔２２ｂ２を形成することになる。
【００７０】
さらに、図５（ｃ）に示す唐戸石部２では、図５（ｂ）の集筒孔２２ｂ２の周囲にみられる角部２ａ３が面取りされた状態となっている（面取り工程）。この面取り工程後、集筒孔２２ｂ２は、方形状の前面開口部２２ｂ３に変わり、唐戸石部２は枡状の形状となる。
【００７１】
つぎに、図５（ｄ）に示す唐戸石部２では、底面に前面開口部２２ｂ３に連通する連通孔２２ｂ４が設けられる（連通孔・孔開け工程）。なお、根太石部１と唐戸石部２とが一体となっている場合には、根太石部１の最下面側から前面開口部２２ｂ３に連通する連通孔を開ければ良い。
【００７２】
なお、ここでは、前面開口部２２ｂ３と連通孔２２ｂ４とは別々になっているが、図５（ｅ）に示すように、お互いに繋げて１つの孔としても良い。
【００７３】
ここで、前面開口部２２ｂ３は一側壁の下端からの略逆Ｕ字状の切欠形状を有して形成されるので、前面開口部２２ｂ３と一側壁の下端との間に段差が生じない。したがって、骨壺を入れるべく蓋石の開閉を行う際に、立設状態の蓋石をそのまま平行移動するだけで開閉することができ、持ち上げ動作を回避することができる。くわえて、蓋石の装着を容易に行うことができる。
【００７４】
また、前面開口部２２ｂ３は、一側壁の下端から切削加工を略逆Ｕ字状に順次行うことで成し得る形状となっている。例えば、一側壁における端面に達しない開口形状の場合には、ワイヤーソー等の加工工具を用いて前面にまず貫通させるための穴加工を予め施す必要があるが、前記の場合には、このような予備加工を必要としない。したがって、従来通り、加工が容易であり、施工の簡素化を維持して、安価に製作することができる。
【００７５】
〔実施の形態２〕
本発明の他の実施の形態について図２〜４及び６に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。図２〜４は、本発明の他の実施の形態である墓石２０〜４０の構成の概要を示す正面図である。
【００７６】
墓石２０〜４０の各構成部は、図２にも示しているが、前記の実施の形態１の墓石１０と同じである。これらの墓石２０〜４０が墓石１０と異なっている点は、墓石全体が一体物として形成されている墓石１０に対して、これらの墓石２０〜４０は、複数の上側の積み石が一体物として構成されている点である。
【００７７】
なお、墓石２０〜４０の構成は、図２〜４に示すような、最下部に位置する根太石部１と、根太石部１の直上に設けられた内部空間を有する唐戸石部２と、唐戸石部２の直上に設けられた少なくとも１つ以上の台石部３ａ・台石部３ｂと、台石部３ｂの直上に設けられた塔石部４とを備えた構成である点は墓石１０と共通である。以下このような構成の墓石を前提として説明する。
【００７８】
まず、墓石２０は、図２に示すように、唐戸石部２、台石部３ａ・台石部３ｂ、及び塔石部４のすべてが一体物として形成されているものである。それゆえ、唐戸石部２の最下面から掘削できるので、内部空間を形成する作業が簡単である。また、根太石部１は上側から見た断面積は広く、かつ根太石部１よりも上部は一体物であるため、大規模な地震が発生した場合などでも容易に転倒することがなく、仮に転倒してしまった場合でも、根太石部１の上に一体物を積み上げれば良いので、施工する場合に作業を短時間で終了させることができる。
【００７９】
ただし、本実施の形態では、根太石部１だけは一体物となっていない場合について説明したが、このような場合に限られず、根太石部１も一体物として形成させても良い。この場合には、墓石２０は上下２つの一体物から構成される２部構成となる。そうすると、上側の一体物は前記唐戸石部以上の構成部で構成され、下側の一体物は根太石部となる。
【００８０】
このように、上側の一体物は、少なくとも２つ以上の墓石の構成部が一体物として形成されるので、一体物として形成されない場合と比較して重量が重い。すなわち、上側の一体物の最下面は、下側の一体物の上面を比較的大きな圧力で押すことになる。
【００８１】
それゆえ、前記の２つの一体物間の境目に雨などによる水が進入しにくいため、大規模な地震が発生した場合などでも容易に転倒することがない。また、仮に転倒してしまった場合でも、墓石は、２つの一体物の２部構成なので施工する場合に作業を短時間で終了させることができる。
【００８２】
また、墓石３０は、図３に示すように、台石部３ａ・台石部３ｂ、及び塔石部４のすべてが一体物として形成されていることを特徴としている。
【００８３】
ここで、一体物の最下部の台石部３ａの底面積は塔石部４よりも大きいので、一体物は安定である。一方、唐戸石部２以下は、上側から見たそれぞれの積み石の断面積は前記底面積よりもさらに大きいので、一体物となっていなくても安定である。
【００８４】
したがって、墓石３０は、大規模な地震が発生した場合などでも容易に転倒することがなく、仮に転倒してしまった場合でも、通常は一体物の部分が転倒するだけであり、一体物を積み上げれば良いので、施工する場合に作業を短時間で終了させることができる。
【００８５】
但し、本実施の形態では、唐戸石部２以下は一体物となっていない場合について説明したが、このような場合に限られず、唐戸石部２以下も一体物として形成させても良い。この場合には、墓石３０は上下２つの一体物から構成される２部構成となる。そうすると、上側の一体物は、前記唐戸石部２よりも上部のすべての構成部で構成され、下側の一体物は、前記唐戸石部２以下のすべての構成部で構成される。
【００８６】
このように、上側の一体物は、少なくとも２つ以上の墓石３０の構成部が一体物として形成されるので、一体物として形成されない場合と比較して重量が重い。すなわち、上側の一体物の最下面は、下側の一体物の上面を比較的大きな圧力で押すことになる。
【００８７】
それゆえ、前記の２つの一体物間の境目に雨などによる水が進入しにくいため、大規模な地震が発生した場合などでも容易に転倒することがない。また、仮に転倒してしまった場合でも、墓石３０は、２つの一体物の２部構成なので施工する場合に作業を短時間で終了させることができる。
【００８８】
さらに、墓石４０は、図４に示すように、台石部３ａよりも上部のすべてが一体物として形成されているものである。
【００８９】
ここで、台石部３ａは全積み石中上側から見た断面積は最も大きく、また、通常一体物の最下部の台石部３ａの最下面の面積は塔石部４の面積よりも大きいので、一体物は安定である。一方、台石部３ａ以下は、上側から見たそれぞれの積み石の断面積は前記断面積及び前記最下面の面積よりもさらに大きいので、一体物となっていなくても安定である。
【００９０】
したがって、大規模な地震が発生した場合などでも容易に転倒することがなく、仮に転倒してしまった場合でも、通常は一体物の部分が転倒するだけであり、一体物を積み上げれば良いので、施工する場合に作業を短時間で終了させることができる。
【００９１】
但し、本実施の形態では、台石部３ａ以下は一体物となっていない場合について説明したが、このような場合に限られず、台石部３ａ以下も一体物として形成させても良い。この場合には、墓石４０は上下２つの一体物から構成される２部構成となる。そうすると、上側の一体物は、台石部３ａよりも上部のすべての構成部で構成され、下側の一体物は、台石部３ａ以下のすべての構成部で構成される。
【００９２】
このように、上側の一体物は、少なくとも２つ以上の墓石４０の構成部が一体物として形成されるので、一体物として形成されない場合と比較して重量が重い。すなわち、上側の一体物の最下面は、下側の一体物の上面を比較的大きな圧力で押すことになる。
【００９３】
それゆえ、前記の２つの一体物間の境目に雨などによる水が進入しにくいため、大規模な地震が発生した場合などでも容易に転倒することがない。また、仮に転倒してしまった場合でも、墓石４０は、２つの一体物の２部構成なので施工する場合に作業を短時間で終了させることができる。
【００９４】
なお、これらの墓石２０〜４０の作成方法については、実施の形態１で説明したことと同様の作成方法については、説明を省略し、図６（ａ）〜図６（ｄ）に基づき、唐戸石部２において対向する面を貫通する貫通孔等を形成する場合の工法について説明する。まず、図６（ａ）に示すように、唐戸石部２の一方側の面から、その面に対向する面に向けて貫通孔２２ｂ５を図示しない孔開け機を使用して形成する。
【００９５】
つぎに、図６（ｄ）に示すように、この貫通孔２２ｂ５に、ワイヤ切削機６におけるダイヤモンド入りのワイヤ６ａを通し、トロッコ６ｄの上側に唐戸石部２を積載させる。ワイヤ６ａを支持柱６ｃ１・６ｃ２に支えられた回転車６ｂ１・６ｂ２で回転させながらトロッコ６ｄを紙面に対して前後の方向に移動させるようにする。このようにして、図６（ｂ）に示すように、経路Ａに沿って、水平切削を行なう。つぎに、図６（ｃ）に示すように、経路Ｂに沿って、水平切削を行なう。以上の工法によれば、唐戸石部２において対向する面を貫通する貫通孔等を形成させることができる。
【００９６】
〔実施の形態３〕
本発明のさらに他の実施の形態について図７に基づいて説明すれば、以下の通りである。なお、本実施の形態において説明すること以外の構成は、前記実施の形態１又は２と同じである。また、説明の便宜上、前記の実施の形態１又は２の図面に示した部材と同一の機能を有する部材については、同一の符号を付し、その説明を省略する。図７は、本発明のさらに他の実施の形態である墓石７０の構成の概要を示すための斜視図である。
【００９７】
墓石７０の各構成部は、実施の形態１又は２の場合と同様であるので、ここでは説明を省略し説明の便宜上、一部の構成部分を抜き出して説明する。なお、墓石７０は、実施の形態２で示した墓石３０に対応するものであり、その構成はほとんど同じである。ただし、ここでは、簡単のため、根太石部１が１段構成であり、台石部は台石部３ａの１つである場合について示している。
【００９８】
墓石７０の構成の下側は、根太石部１と唐戸石部２とが積み重なったものである。また、上側の一体物は、台石部３ａと塔石部４とが一体物として構成されたものである。なお、本実施の形態においては、根太石部１と唐戸石部２とは別体であるが、これらを一体物としても良い。なお、以下同様の説明は省略する。
【００９９】
墓石７０は、図７に示すように、唐戸石部２の最上面２ａには凸部１２ａが形成されていると共に、上側の一体物の台石部３ａの最下面２３ｂには凸部１２ａに嵌合する凹部１３ｂが形成されている。
【０１００】
ここで、唐戸石部２の最上面２ａにある凸部１２ａと上側の一体物の最下面２３ｂにある凹部１３ｂとを嵌合させることができる（以下これらの凹凸部を合わせて嵌合手段と呼ぶ）。それゆえ、墓石７０は、前記嵌合手段が破損しない間は、墓石３０よりも、さらに転倒しにくくなる。
【０１０１】
また、凹部１３ｂは上側の一体物の最下面２３ｂに形成され、凸部１２ａは下側の唐戸石部２の最上面２ａに形成されているので、最下面２３ｂと最上面２ａとの間に雨水等の水が侵入しても、凹部１３ｂに水が溜まることがない。この結果、溜まり水が後日に外部に吹き出して墓石７０を汚すということを防止することができ、これにより墓石７０の耐久性を向上させることができる。
【０１０２】
〔実施の形態４〕
本発明のさらに他の実施の形態について図８に基づいて説明すれば、以下の通りである。なお、本実施の形態において説明すること以外の構成は、前記実施の形態１〜３と同じである。また、説明の便宜上、前記の実施の形態１〜３の図面に示した部材と同一の機能を有する部材については、同一の符号を付し、その説明を省略する。図８は、本発明のさらに他の実施の形態である墓石８０の構成の概要を示す斜視図である。
【０１０３】
墓石８０の各構成部は、実施の形態１又は２の場合と同様であるので、ここでは説明を省略し説明の便宜上、一部の構成部分を抜き出して説明する。なお、墓石８０は、実施の形態２で示した墓石２０に対応するものであり、その構成はほとんど同じである。ただし、ここでは、簡単のため、根太石部１が１段構成であり、台石部は台石部３ａの１つである場合について示している。
【０１０４】
墓石８０を構成する２つの一体物のうち下側の一体物は、根太石部１のみで構成される。また、上側の一体物は、唐戸石部２、台石部３ａ、及び塔石部４、が一体物として構成されたものである。
【０１０５】
墓石８０は、図８に示すように、根太石部１の上側に骨壷納骨室１２ｂ（内部空間）を有する唐戸石部２が設けられ、根太石部１に骨壷納骨室１２ｂに連通し骨壺を納骨するための骨壺納骨穴１１ｂが穿設されている。また、根太石部１の上面１ａにおける骨壺納骨穴１１ｂの周囲には、上向きに突出した立上部１１ａが形成されている。
【０１０６】
ここで、根太石部１の上面１ａと唐戸石部２の下端との間から雨水等による水が侵入した場合であっても、根太石部１の上面１ａにおける骨壺納骨穴１１ｂの周囲には、上向きに突出した立上部１１ａが形成されているので、侵入した水はこの立上部１１ａを越えることができない。
【０１０７】
それゆえ、水が根太石部１の上面１ａに侵入した場合に、骨壺納骨穴１１ｂへの水溜まりを防止することができ、これにより墓石８０の耐久性を向上させることができる。
【０１０８】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０９】
本発明は、例えば笠墓や段唐戸等の墓石一般に広く適用できる。
【図面の簡単な説明】
【０１１０】
【図１】本発明における墓石の実施の一形態を示す正面図である。
【図２】本発明における墓石の他の実施の形態を示す正面図である。
【図３】本発明における墓石のさらに他の実施の形態を示す正面図である。
【図４】本発明における墓石のさらに他の実施の形態を示す正面図である。
【図５】（ａ）は孔開け工程後の唐戸石部を示す斜視図であり、（ｂ）は拡孔工程後の唐戸石部を示す斜視図であり、（ｃ）は面取り工程後の唐戸石部を示す斜視図であり、（ｄ）は連通孔形成工程後の唐戸石部を示す斜視図であり、（ｅ）は前面開口部と連通孔とを繋げて１つの孔として構成した場合を示す斜視図である。
【図６】（ａ）は孔明け工程後の唐戸石部を示す斜視図であり、（ｂ）は、経路Ａの水平切削の様子を示す斜視図であり、（ｃ）は、経路Ｂの水平切削の様子を示す斜視図であり、（ｄ）は、ワイヤ切削機の構成を示す正面図である。
【図７】本発明における墓石のさらに他の実施の形態を示す斜視図である。
【図８】本発明における墓石のさらに他の実施の形態を示す斜視図である。
【図９】従来の墓石の他の例を示す正面図である。
【図１０】（ａ）は、従来の墓石の例を示す正面側の断面図であり、（ｂ）は、側面側の断面図であり、（ｃ）は、従来の墓石の積み重ね方を示す斜視図である。
【符号の説明】
【０１１１】
１      根太石部
１ａ    上面
２      唐戸石部
２ａ１  前面
２ａ２  柱状部
２ａ３  角部
３ａ    台石部・笠石部
３ｂ    台石部
４      塔石部
６    ワイヤ切削機
６ａ  ワイヤ
６ｂ１・６ｂ２  回転車
６ｃ１・６ｃ２  支持柱
６ｄ  トロッコ
１１ａ  立上部
１１ｂ  骨壷納骨穴
１２ａ  凸部
１２ｂ  骨壷納骨室（内部空間）
１３ｂ  凹部
２２ｂ１  円筒孔
２２ｂ２  集筒孔
２２ｂ３  前面開口部
２２ｂ４  連通孔
２２ｂ５  貫通孔
２３ｂ  最下面
【図１】
2008101442.tif 000003
【図２】
2008101442.tif 000004
【図３】
2008101442.tif 000005
【図４】
2008101442.tif 000006
【図５】
2008101442.tif 000007
【図６】
2008101442.tif 000008
【図７】
2008101442.tif 000009
【図８】
2008101442.tif 000010
【図９】
2008101442.tif 000011
【図１０】
2008101442.tif 000012